(57)【要約】【課題】香り成分を眼鏡の収納機構に収納することにより、香りを発生することができる眼鏡を提供する。【解決手段】本考案の眼鏡は、左右一対のレンズが装着されるレンズフレームと、前記レンズフレームの右側端部から後方へ延びる右側智と、前記レンズフレームの左側端部から後方へ延びる左側智と、前記右側智に接続する右側テンプルフレームと、前記左側智に接続する左側テンプルフレームとを有する眼鏡であって、前記左右の智の少なくとも一方に、収納機構が設けられており、前記収納機構の内部空間に連通する開口が設けられていることを特徴とする。【選択図】図１
0003222447.tif 000002
【実用新案登録請求の範囲】
【請求項１】
左右一対のレンズが装着されるレンズフレームと
前記レンズフレームの右側端部から後方へ延びる右側智と、
前記レンズフレームの左側端部から後方へ延びる左側智と、
前記右側智に接続する右側テンプルフレームと、
前記左側智に接続する左側テンプルフレームとを有する眼鏡であって、
前記左右の智の少なくとも一方に、収納機構が設けられており、
前記収納機構の内部空間に連通する開口が設けられていることを特徴とする眼鏡。
【請求項２】
前記智に設けられる収納機構は、智の両側面を貫通し、智の内部に設けられる収納スペースと、前記収納スペースに収納される収納部材とからなり、収納部材の少なくとも一方の側面または智の上面に、収納部材の内部空間に連通する開口が設けられている請求項１に記載の眼鏡。
【請求項３】
前記収納部材は、扉体と扉体の内側に設けられた収納容器とを有し、眼鏡の外側に向かって、開閉可能なように収納スペースの後端部に軸支され、収納スペースの外側側面の開口が、収納部材の扉体によって閉塞されるように構成され、前記扉体には、収納部材の内部空間に連通する開口が設けられている請求項２に記載の眼鏡。
【請求項４】
テンプルフレームの少なくとも一方に、収納機構が設けられている請求項１〜３のいずれか一項に記載の眼鏡。
【請求項５】
前記収納機構には、香料が充填されている請求項１〜４のいずれか一項に記載の眼鏡。
【考案の詳細な説明】
【技術分野】
【０００１】
本考案は、眼鏡に関するものである。
【背景技術】
【０００２】
眼鏡には、長時間にわたって着用しても疲れないような工夫が求められている。例えば、香りを発生させる眼鏡が提案されている。
【０００３】
特許文献１には、メガネフレームの樹脂製ツルにおいて、その先端内側に凹部を形成し、該凹部にはマイナスイオン、又は遠赤外線、又は香りを発生したり、脱臭効果、又は、抗菌効果を備えたピースを収容し、該ピースが外れ落ちないように小さな穴を貫通した蓋を凹部に取り付けたことを特徴とするメガネフレーム用ツルが開示されている。
【０００４】
特許文献２には、香り入りマイクロカプセル入りの塗料による塗膜層をフレームおよび眼鏡つるの表面の少なくとも一部に形成した香り付き眼鏡が開示されている。
【０００５】
例えば、特許文献３には、眼鏡フレームのよろい、テンプル、或はモダンに香りを発散する金属を取付けたことを特徴とする眼鏡フレームが開示されている。
【先行技術文献】
【特許文献】
【０００６】
【特許文献１】特開２００５−９２０１２号公報
【特許文献２】特開２００５−７４３５６号公報
【特許文献３】実開平３−６６２３号公報
【考案の概要】
【考案が解決しようとする課題】
【０００７】
本考案は、収納機構を設けた眼鏡を提供することを目的とする。本考案は、香り成分を眼鏡の収納機構に収納することにより、香りを発生することができる眼鏡を提供することをさらなる目的とする。
【課題を解決するための手段】
【０００８】
本考案の眼鏡は、
左右一対のレンズが装着されるレンズフレームと
前記レンズフレームの右側端部から後方へ延びる右側智と、
前記レンズフレームの左側端部から後方へ延びる左側智と、
前記右側智に接続する右側テンプルフレームと、
前記左側智に接続する左側テンプルフレームとを有する眼鏡であって、
前記左右の智の少なくとも一方に、収納機構が設けられており、
前記収納機構の内部空間に連通する開口が設けられていることを特徴とする。
【考案の効果】
【０００９】
本考案によれば、眼鏡から香りを発生することができ、長時間かけても疲れない眼鏡を提供することができる。
【図面の簡単な説明】
【００１０】
【図１】本考案の眼鏡の好ましい態様を右側側面からみた斜視図。
【図２】本考案の眼鏡の収納部材を説明する説明図。
【図３】本考案の眼鏡の収納部材の開閉状態を説明する説明図。
【図４】本考案の眼鏡の別の好ましい態様を右側側面からみた斜視図。
【図５】テンプルフレームに収納機構を設ける態様を説明する説明図。
【考案を実施するための形態】
【００１１】
本考案の眼鏡は、
左右一対のレンズが装着されるレンズフレームと
前記レンズフレームの右側端部から後方へ延びる右側智と、
前記レンズフレームの左側端部から後方へ延びる左側智と、
前記右側智に接続する右側テンプルフレームと、
前記左側智に接続する左側テンプルフレームとを有する眼鏡であって、
前記左右の智の少なくとも一方に、収納機構が設けられており、
前記収納機構の内部空間に連通する開口が設けられていることを特徴とする。
【００１２】
本考案の眼鏡において、レンズ側を前方とし、耳側を後方とする。眼鏡をかけたときに、鼻に接する側を下方とし、その反対を上方とする。また眼鏡をかけたときに右耳側を右側とし、左耳側を左側とする。また、眼鏡をかけたときに、頭や顔に面する側を内側とし、その反対を外側とする。
【００１３】
眼鏡の智は、レンズフレームの左右の端部から、後方に向かって延設されている部分であり、レンズフレームと、テンプルフレームとの間に位置する部分である。レンズフレームと智は一体的に成形されていることが好ましい。智は、ヨロイとも言われる。
【００１４】
本考案の眼鏡には、左右の智の少なくとも一方に収納機構が設けられており、左右の智の両方に収納機構が設けられていることが好ましい。
【００１５】
本考案の眼鏡には、前記収納機構の内部空間に連通する開口が設けられている。開口は、収納機構が設けられている智の部分の上面側、または、側面側に設けられていればよい。１つの収納機構に対して開口は少なくとも１つ設けられていればよく、１個〜１００個設けられていることが好ましい。また、開口の形状は、特に限定されないが、直径が０．１ｍｍ〜２ｍｍの円形であることが好ましい。
【００１６】
本考案の眼鏡では、前記収納機構の内部空間に、香料を充填することが好ましい。具体的には、香料をしみこませたスポンジを収納機構の内部空間に充填することが好ましい。香料をスポンジにしみこませておくことにより、香料の液滴が収納機構の内部から飛散するのを防止することができる。眼鏡に設けられた開口から香料が放出されて、着用者をリラックスさせることができる。
【００１７】
前記香料としては、天然香料あるいは人工香料のいずれであってもよい。前記香料としては、特に限定されないが、例えば、リモネン（テルペン類：レモンの香り）、メントール（アルコール化合物：ミントの香り）、メントン（ケトン化合物：ミントの香り）、テルピネオール（アルコール化合物：ライムの香り）、シトラール（アルデヒド化合物：レモンの香り）、カンフル（ケトン化合物：ミントの香り）、アネトール（エーテル化合物：フェンネル等の香り）、エストラゴール（エーテル化合物：エストラゴンの香り）、１，８−シオネール（エーテル化合物：ユーカリやセージ、ローレルの香り）、オイゲノール（アルコール化合物：クローブやピメント等の香り）、クミンアルデヒド（アルデヒド化合物：クミンの香り）、シンナミルアルデヒド（アルデヒド化合物：シナモンの香り）などを挙げることができる。
【００１８】
前記香料としては、例えば、キュウリアルコール（アルコール化合物：メロンやスイカの香り）、アルデヒドＣ−８（アルデヒド化合物：オレンジの香り）、キュウリアルデヒド（アルデヒド化合物：メロンやスイカの香り）、バニリン（アルデヒド化合物：バニラの香り）、ヌートカトン（ケトン化合物：グレープフルーツの香り）、ラズベリーケトン（ケトン化合物：ラズベリーの香り）、カプリン酸エチル（エステル化合物：ラム酒やブランデーの香り）、カプロン酸アリル（エステル化合物：パイナップルの香り）、酢酸イソアミル（エステル化合物：バナナの香り）、酢酸エチル（エステル化合物：メロンやぶどうの香り）、酢酸スチラリル（エステル化合物：グレープフルーツの香り）、酢酸ヘキシル（エステル化合物：リンゴや洋ナシの香り）、酪酸エチル（エステル化合物：パイナップルの香り）、ココナッツアルデヒド（ラクトン化合物：ココナッツの香り）、ピーチアルデヒド（ラクトン化合物：桃の香り）、アントラニル酸メチル（含窒素化合物：ぶどうの香り）、ローズオキシド（エーテル化合物：バラの香り）、ゲラニオール（アルコール化合物：ゼラニウムの香り）、リナロール（アルコール化合物：ラベンダーの香り）、β−フェネチルアルコール（アルコール化合物：バラの香り）、シクラメンアルデヒド（アルデヒド化合物：スズランの香り）、α−イオノン（ケトン化合物：スミレの香り）、シス−ジャスモン（ケトン化合物：ジャスミンの香り）、酢酸ベンジル（エステル化合物：ジャスミンの香り）などを挙げることができる。
【００１９】
香料として、精油を使用することも好ましい。前記精油としては、例えば、アニス油、エレミ油、オリバナム油、カノコソウ油、カルダモン油、ガルバナム油、キャラウェイ油、グアイヤック油、クミン油、クローブ油、ココナッツ油、シナモン油、ジンジャー油、セージ油、セダーリーフ油、ナツメグ油、バジル油、ハッカ油、ベイ油、ベチバー油、ベルガモット油、マンダリン油、ミラー油、ユーカリ油、ライム油、ローズマリー油、ローズ油、ラベンダー油、ラバンジン油、オレンジ油、ベルガモット油、レモン油、レモングラス油、ダバナ油、プチグレン油が挙げられる。
【００２０】
前記智に設けられる収納機構としては、例えば、智の両側面を貫通し、智の内部に設けられる収納スペースと、前記収納スペースに収納される収納部材とからなる態様（態様１という場合がある）、あるいは、智の内部に上面に開口を有する収納スペースと、前記上面の開口を閉塞する蓋とからなる態様（態様２という場合がある）などを挙げることができる。
【００２１】
収納機構の第１態様において、智の両側面を貫通し、智の内部に設けられる収納スペースは、智の一方の側面から他方の側面へと貫通する空間である。前記収納スペースは、智の一方の側面と他方の側面に開口を有する空間である。前記収納スペースは、略直方体形状の空間であることがより好ましい。この場合、収納スペースの上面、前面、後面、および、底面は、智を構成する材料からなる壁面で囲まれている。
【００２２】
収納スペースに収納される収納部材は、智に対して、開閉自在に設けられていることが好ましく、眼鏡の外側に向かって開閉するようにされていることがより好ましい。開閉の方法は、水平方向（前後方向）、あるいは、上下方向のいずれであってもよいが、水平方向に開閉するようにされていることが好ましい。
【００２３】
前記収納部材は、例えば、収納スペースの後端部に軸支されて、水平方向（前後方向）に回動自在にされていることが好ましい。
【００２４】
収納機構の第１態様における収納部材は、例えば、扉体と扉体の内側に設けられた収納容器とを有することが好ましい。
【００２５】
収納スペースに収納部材が収納されている状態では、智の両側面の開口（収納スペースの開口）は、収納部材の側面、あるいは、収納部材に設けられた扉体によって閉塞されることが好ましい。すなわち、収納スペースに収納部材が収納されている状態では、収納部材の外側側面あるいは収納部材に設けられた扉体が、智の外側側面の一部を構成し、収納部材の内側側面が、智の内側側面の一部を構成する。収納部材の内側側面と、智の内側側面とが略面一になることが好ましい。収納部材の外側側面あるいは扉体と、智の外側側面とが略面一になることが好ましい。
【００２６】
前記収納部材の少なくとも一方の側面には、収納部材の内部空間に連通する開口が設けられていることが好ましく、収納部材の両側面に収納部材の内部空間に連通する開口が設けられていることがより好ましい。また、収納部材の側面に開口を設けることなく、例えば、智の上面に収納部材の内部空間に連通する開口を設けるようにしてもよい。収納部材の内部空間に連通する開口を設けておくことにより、香料を収納部材の内部空間に充填したときに、開口から香料成分が放出されるからである。
【００２７】
収納機構の第２態様は、智の内部に上面に開口を有する収納スペースと、前記上面の開口を閉塞する蓋とからなる。智の内部に設けられる収納スペースの形状は、特に限定されないが、円筒状、略直方体状などが挙げられる。収納スペースの側面および底面は、智を構成する材料からなる壁面で囲まれている。蓋には、収納スペースに連通する開口が設けられていることが好ましい。
【００２８】
本考案の眼鏡は、テンプルフレームの少なくとも一方に、収納機構が設けられていることが好ましく、テンプルフレームの両方に収納機構が設けられていることがより好ましい。この態様によれば、テンプルフレームにも香料を充填することができる。テンプルフレームとは、例えば、蝶番により智に開閉可能に接続されていることが好ましい。
【００２９】
テンプルフレームに設ける収納機構としては、例えば、テンプルフレームの内部に上面に開口を有する収納スペースと、前記上面の開口を閉塞する蓋とからなる態様を挙げることができる。
【００３０】
本考案の眼鏡のレンズフレームは、特に限定されないが、レンズ全体をフレームで囲むフルリムであることが好ましい。
【００３１】
本考案の眼鏡のレンズは、特に限定されない。例えば、遠視用レンズ、近視用レンズ、遠近両用レンズ、カラーレンズ、ブルーライトをカットするレンズ、紫外線をカットするレンズなどを挙げることができる。
【００３２】
以下、図面を参照しながら、本考案を説明するが、本考案は図面に示した態様に限定されない。
【００３３】
図１（ａ）は、本考案の眼鏡を側面からみた斜視図である。図中、矢印Ａが、前後方向であり、矢印Ｂが左右方向であり、矢印Ｃが上下方向である。本考案の眼鏡１は、左右一対のレンズが装着されるレンズフレーム３と前記レンズフレームの右側端部から後方へ延びる右側智５ａと、前記レンズフレームの左側端部から後方へ延びる左側智５ｂと、前記右側智に接続する右側テンプルフレーム７ａと、前記左側智に接続する左側テンプルフレーム７ｂとを有する。
【００３４】
智５ａ，５ｂは、レンズフレーム３の左右の端部から、後方に向かって延設した部分である。レンズフレーム３と智５ａ，５ｂとは一体的に成形されていることが好ましい。左右の智５ａ，５ｂの高さは、レンズフレーム３の側端部の高さとほぼ同一であることが好ましい。智の内部に設ける収納スペースを大きくすることができるからである。また、智５ａ，５ｂの高さは、前方（レンズ側）から後方に向かって徐々に低くなるようにされることも好ましい。
【００３５】
図１（ａ）は、前記収納スペースに収納部材９が収納されている状態を示している。前記収納部材９の側面には、収納部材９の内部空間に連通する開口１１が複数設けられている。図１（ｂ）に示すように、前記右側智５ａおよび左側智５ｂには、収納スペース１０が設けられている。収納スペース１０は、智の一方の側面から他方の側面へと貫通する略直方体形状の空間である。この収納スペースに収納部材９が収納される。
【００３６】
図２は、収納部材９の構造を説明する説明図である。図２（ａ）は、収納部材９を内側側面から見た斜視図であり、図２（ｂ）は、収納部材を外側からみた図である。収納部材９は、扉体１３と扉体１３の内側に設けられた収納容器１５とを有する。収納容器１５は、上面に開口１７を有する略直方体の形状を有する。収納容器１５の大きさは、例えば、幅（左右方向）：０．１ｃｍ〜１５ｃｍ、前後方向の長さ：０．１ｃｍ〜１５ｃｍ、高さ：０．１ｃｍ〜１５ｃｍである。
【００３７】
扉体１３の内側と、収納容器１５の一方の側面とは、固定されている。扉体１３の形状は、略矩形であり、収納容器１５の扉体１３に固定される側面よりも一回り大きい。扉体１３と収納容器１５との固定手段は特に限定されず、例えば、接着剤、締結部材などの固定手段を用いて固定すればよい。また、扉体１３と収納容器１５とを一体的に成形してもよい。
【００３８】
扉体１３と収納容器１５の内側側面には、収納容器１５の内部空間に連通する開口１１が複数設けられている。収納容器の内部空間に配置された香料が揮発して、開口１１から眼鏡の外部に放出される。開口１１は、収納容器の側面の上部に設けられていることが好ましい。
【００３９】
収納容器１５には、例えば、香料をしみこませたスポンジ１９を配置させることが好ましい。
【００４０】
収納部材９は、蓋１８を有してもよい。香料をしみこませたスポンジ１９を収納容器１５に収納し、収納容器５の上面の開口１７を蓋１８で閉塞する。
【００４１】
図２（ｂ）は、収納部材９を外側側面から見た図である。扉体１３の外側側面には、収納容器１５の内部空間に連通する開口１１が設けられている。
【００４２】
図３は、収納部材９を開閉する状態を説明する説明図である。収納部材９は、収納スペース１０の後端部に軸支されて、回動自在にされていることが好ましい。収納部材９は、智の外側面に対して約９０度の範囲まで回動するようにされていることが好ましい。回動角度を大きくすることにより、収納容器１５に配置されたスポンジに香料２０を容易に追加することができる。
【００４３】
扉体１３の外縁は、収納スペース１０の開口周縁部２５の外縁と略一致した形状をしている。開口周縁部２５は、智の外側表面からくぼむように段差状に設けられている。扉体１３を閉塞したときには、扉体１３の表面と智の外側表面とが略面一になることが好ましい。収納容器の内側側面の形状は、収納スペースの外側開口の形状よりも小さく、扉体１３を閉塞したときには、収納容器１５が智の収納スペース１０に収納される。
【００４４】
収納容器１５の内側側面の形状は、収納スペースの内側開口の形状とほぼ同一である。収納スペース１０に収納部材９を収納したときには、収納スペース１０の内側開口は、収納容器１５の内側側面により、すきまなく閉塞されることが好ましい。また、収納容器１５の内側側面の表面と、智の内側表面とが略面一になることが好ましい。
【００４５】
なお、図３では、収納部材９が、前後方向（水平方向）に開閉する態様を示したが、例えば、上下方向外側にむかって、収納部材が開閉するようにしてもよい。すなわち、収納部材は、鉛直状態から水平状態になるように開く。
【００４６】
収納容器１５の前方壁面の外側には、突起２１が設けられ、収納スペース１０の外側開口縁２５には、この突起２１が係合するための凹部２３が設けられている。収納部材９を収納している状態では、収納容器１５の突起２１が、開口部周縁２５に設けられた凹部２３に係合する。そのため、収納容器１５が智５ａに固定される。収納部材９を開けるときには、突起２１に外力がかかり、突起２１が弾性変形して係合が解除される。なお、本態様では、収納部材９に突起２１を設けて、開口部周縁２５に凹部２３を設けたが、収納部材に凹部を設けて、開口部周縁に突起を設けるようにしてもよい。
【００４７】
図４は、本考案の変形例である。左右の智５ａ，５ｂ、および、左右のテンプルフレーム７ａ，７ｂにも収納機構が設けられている。テンプルフレームの収納機構は、テンプルフレーム７ａ，７ｂのレンズフレーム側に設けられている。
【００４８】
収納機構の外側側面および内側側面には、収納機構の内部空間に連通する開口１１が設けられている。収納機構の内部空間に、香料をしみこませたスポンジを収納すると、揮発した香料が開口から放出される。
【００４９】
図５は、テンプルフレーム７に収納スペース１０を設ける態様を説明する説明図である。収納スペース１０は、テンプルフレーム７の内部に設けられた空間であり、上面に開口２７を有する。収納スペース１０の形状は、テンプルフレームの形状に合わせて略直方体の形状である。収納スペースの側面は、テンプルフレームの側面を兼ねている。また、収納スペースの底面は、テンプルフレームの底面を兼ねている。
【００５０】
前記収納スペース１０には、香料２０をしみこませたスポンジ１９を収納する。前記収納スペース１０の開口２７は、蓋２９により閉塞される。収納スペースの開口２７を蓋２９で閉塞すると、蓋２９はテンプルフレーム７の上面の一部を構成する。開口２７が蓋により閉塞された状態では、蓋２９の上面とテンプルフレーム７の上面とは略面一であることが好ましい。
【符号の説明】
【００５１】
３：レンズフレーム、５ａ，５ｂ：智、７ａ，７ｂ：テンプルフレーム、９：収納部材、１０：収納スペース、１１：開口、１３：扉体、１５：収納容器、１７：開口、１９：スポンジ
【図１】
0003222447.tif 000003
【図２】
0003222447.tif 000004
【図３】
0003222447.tif 000005
【図４】
0003222447.tif 000006
【図５】
0003222447.tif 000007